(57)【要約】【課題】雨水がカバーの上方に降りそそいでも防水構造によって放音孔の周囲を迂回して垂れるようにし、雨水でスピーカーが損傷する恐れのないカバーを提供する。【解決手段】第１カバー（表カバー）２０と、第１カバー２０に対して所定の間隔をあけて設けられた第２カバー（裏カバー）１０と、第１カバー２０と第２カバー１０との間に設けられた水濡れ禁止機器（スピーカー）Ｓと、第１カバー２０又は第２カバー１０におけるスピーカーＳに近い部位に設けられた貫通孔１０ｈと、を備えて成る水濡れ禁止機器付きカバーにおいて、貫通孔１０ｈの周縁から反機器側に円筒壁１０ｔを立設し、かつ円筒壁１０ｔの周囲に他のカバー部位よりも一段低く凹部１０ｂを形成して成る防水構造を備えるようにした。【選択図】図１
2010268119.tif 000002
【特許請求の範囲】
【請求項１】
第１カバーと、前記第１カバーに対して所定の間隔をあけて設けられた第２カバーと、前記第１カバーと前記第２カバーとの間に設けられた水濡れ禁止機器と、前記第１カバー又は前記第２カバーにおける前記機器に近い部位に設けられた貫通孔と、を備えて成る水濡れ禁止機器付きカバーにおいて、
前記貫通孔の周縁から反機器側に円筒壁を立設し、かつ前記円筒壁の周囲に他のカバー部位よりも一段低く凹部を形成して成る防水構造を備えた水濡れ禁止機器付きカバー。
【請求項２】
前記凹部が前記円筒壁の周囲からカバーの下方まで連続して形成されていることを特徴とする請求項１記載の防水構造を備えた水濡れ禁止機器付きカバー。
【請求項３】
前記円筒壁の周囲に形成した凹部において、さらに前記円筒壁の際（きわ）に前記凹部よりも一段低く形成した水路を有することを特徴とする請求項１記載の防水構造を備えた水濡れ禁止機器付きカバー。
【請求項４】
前記水路が前記円筒壁の直径方向両端部からカバーの下方まで連続して形成されていることを特徴とする請求項３記載の防水構造を備えた水濡れ禁止機器付きカバー。
【請求項５】
前記円筒壁の高さが前記円筒壁を有するカバーの表面から突出する高さであることを特徴とする請求項１〜４のいずれか１項記載の防水構造を備えた水濡れ禁止機器付きカバー。
【請求項６】
前記円筒壁の内側に小さな直径の多数の貫通孔を備えたことを特徴とする請求項１〜５のいずれか１項記載の防水構造を備えた水濡れ禁止機器付きカバー。
【発明の詳細な説明】
【技術分野】
【０００１】
本発明は、水濡れ禁止機器の近傍に貫通孔を備えたカバーの防水構造に係り、特に、スピーカーが設けられているカバーにはスピーカーのための放音孔が必要であるが、その放音孔から雨水がカバーの内側に浸入してスピーカーを濡らす恐れがあるので、そのようなことのないようにするための防水構造に関するものである。
【背景技術】
【０００２】
オープンカー等では室内に雨水が入ってくる可能性がある。その場合、雨水が室内に入るとその雨水が車両に搭載されるメータ等の機器を搭載したカバーを濡らすことになった。ところが、スピーカーを備えたカバーにあってはそのカバーにスピーカーからの音を放出するための放音孔が設けられている。
したがって、オープンカーにおいて雨水がカバーの上流に降りそそぐと、雨水はカバーに沿って流れ落ち、放音孔から雨水がカバーの裏側に入って、スピーカーの振動板等を濡らし、振動板が損傷する恐れがあった。
【０００３】
〈従来の裏カバー〉
図５はスピーカーを備えた従来のカバー全体の正面図である。
図５において、１００は従来の裏カバーで、この裏カバー１００の中央よりやや左下に放音孔１００ｈが裏カバー１００を貫通する孔としてあけられている。放音孔１００ｈの背面（裏側）側にはスピーカーＳ（図６（ｂ）参照）が設けられていて、スピーカーＳから出た音がこの放音孔１００ｈを通って裏カバー１００のこちら側（反スピーカー側）に出てくる。
【０００４】
〈従来の放音孔とスピーカーの位置関係〉
図６は放音孔とスピーカーの位置関係を説明する図で、（ａ）は裏カバーにある放音孔の近傍の斜視図、（ｂ）は断面図である。
図６（ａ）において、裏カバー１００に放音孔１００ｈが貫通して開けられており、放音孔１００ｈのある裏カバー１００は、図６（ｂ）に示すように、表カバー２００に対して所定の間隔をあけてこれと平行に傾斜して配置され、表カバー２００の裏側にスピーカーＳが取り付けられ、放音孔１００はこの裏カバー１００のスピーカーＳに対向する近い部位に開けられている。
【０００５】
〈従来のカバーの欠点〉
図７は雨水がカバーを伝って流下する様子を説明する図で、図７（ａ）から図７（ｃ）にしたがって時間的に経過している。
図７（ａ）において、雨水Ｗが裏カバー１００の上部に降りそそぐと下方に流れ、やがて放音孔１００に達する。放音孔１００に達した雨水Ｗは、図７（ｂ）に示すように、裏カバー１００の表側から放音孔１００の中に入って裏カバー１００の裏側に達する。
さらに、雨水Ｗは、図７（ｃ）に示すようにスピーカーＳを濡らすこととなった。スピーカーＳの振動板は振動し易く薄い紙で形成されているので、水に濡れると振動し難くなり、やがて破損に至る恐れがある。このようにスピーカーにとって雨水に濡れることは厳禁である。
【０００６】
〈特許文献１記載の音響装置〉
特許文献１記載の音響装置は、スピーカーの振動板が背面に搭載される基板と、この基板を収容する収容ケースの基板側に設けた開口部を覆うカバーとを備えると共に、基板とカバーとの間に設けられた振動板の共鳴空間部と、カバーの側壁に設けられた放音孔と、共鳴空間部と前記放音孔とを連通する音導入路とをさらに備えてなるものである。
このような構成により、この音響装置は十分な音圧を得ることができかつ薄型化が可能となった。
【先行技術文献】
【特許文献】
【０００７】
【特許文献１】特開２００８−７０４８１号公報
【発明の概要】
【発明が解決しようとする課題】
【０００８】
しかしながら、特許文献１記載の音響装置においても雨水対策は充分でなく、同じく、オープンカーに設置した場合にはカバーの側壁に落下した雨水が垂れて放音孔からカバーの裏側に入ってスピーカーを濡らす恐れがあった。
本発明は、上記の問題点を解決するためになされたもので、雨水がカバーの上流に降りそそいでも防水構造によって放音孔の周囲を迂回して流れるようにして、雨水が決して放音孔からカバーの裏側に入らないようにし、従ってまた、スピーカーを濡らして損傷させる恐れのないようなカバーを提供することを目的としている。
【課題を解決するための手段】
【０００９】
上記課題を解決するために、本願の第１発明は防水構造を備えた水濡れ禁止機器付きカバーに関するもので、第１カバーと、前記第１カバーに対して所定の間隔をあけて設けられた第２カバーと、前記第１カバーと前記第２カバーとの間に設けられた水濡れ禁止機器と、前記第１カバー又は前記第２カバーにおける前記機器に近い部位に設けられた貫通孔と、を備えて成る水濡れ禁止機器付きカバーにおいて、前記貫通孔の周縁から反機器側に円筒壁を立設し、かつ前記円筒壁の周囲に他のカバー部位よりも一段低く凹部を形成して成る防水構造を備えたことを特徴としている。
【００１０】
本願の第２発明は前記第１発明の防水構造を備えた水濡れ禁止機器付きカバーにおいて、前記凹部が前記円筒壁の周囲からカバーの下方まで連続して形成されていることを特徴としている。
【００１１】
本願の第３発明は前記第１発明の防水構造を備えた水濡れ禁止機器付きカバーにおいて、前記円筒壁の周囲に形成した凹部において、さらに前記円筒壁の際（きわ）に前記凹部よりも一段低く形成した水路を有することを特徴としている。
【００１２】
本願の第４発明は前記第３発明の防水構造を備えた水濡れ禁止機器付きカバーにおいて、前記水路が前記円筒壁の直径方向両端部からカバーの下方まで連続して形成されていることを特徴としている。
【００１３】
本願の第５発明は前記第１〜第４発明のいずれかの防水構造を備えた水濡れ禁止機器付きカバーにおいて、前記円筒壁の高さが前記円筒壁を有するカバーの表面から突出する高さであることを特徴としている。
【００１４】
本願の第６発明は前記第１〜第５発明のいずれかの防水構造を備えた水濡れ禁止機器付きカバーにおいて、前記円筒壁の内側に小さな直径の多数の貫通孔を備えたことを特徴としている。
【発明の効果】
【００１５】
以上、第１発明によれば、貫通孔の周縁から反機器側に円筒壁を立設し、かつ前記円筒壁の周囲に他のカバー部位よりも一段低く凹部を形成して成る防水構造を備えたので、雨水がカバーの上流に降りそそいで下方に流れ落ちても防水構造によって放音孔の周囲を迂回して流れるようになり、雨水が決して放音孔からカバーの裏側に入らないのでスピーカーを濡らして損傷させる恐れがなくなる。
【００１６】
本願の第２発明によれば、凹部が円筒壁の周囲からカバーの下方まで連続して形成されているので、放音孔の周囲を回って流れた雨水はそのまま円筒壁の周囲からカバーの下方まで連続した凹部を通って流れることとなり、スピーカーを濡らして損傷させる恐れがさらに少なくなる。
【００１７】
本願の第３発明によれば、円筒壁の周囲に形成した凹部にさらに円筒壁の際（きわ）に凹部よりも一段低く形成した水路を形成したので、雨水がカバーの上方に降りそそいでも放音孔の周囲の水路を通って下方に流れ易くなり、スピーカーが損傷する恐れがさらに少なくなる。
【００１８】
本願の第４発明によれば、水路が円筒壁の直径方向両端部からカバーの下方まで連続して形成されているので、放音孔の水路を回って流れた雨水はそのまま円筒壁の周囲からカバーの下方まで連続した水路を通って流れることとなり、スピーカーを濡らして損傷させる恐れがさらに少なくなる。
【００１９】
本願の第５発明によれば、円筒壁の高さが円筒壁を有するカバーの表面から突出する高さであるので、雨水が円筒壁から中に逆流する恐れがなくなり、したがってスピーカーが損傷する恐れがさらに少なくなる。
【００２０】
本願の第６発明によれば、円筒壁の内側に小さな直径の多数の貫通孔を備えたので、異物が円筒壁から中に流れ込む恐れが少なくなり、したがってスピーカーが損傷する恐れが少なくなる。
【図面の簡単な説明】
【００２１】
【図１】図１は本発明に係る防水構造を説明する図で、（ａ）は裏カバーにある放音孔の近傍の斜視図と、（ｂ）は断面図である。
【図２】図２は本発明に係る防水構造を備えた裏カバーを雨水が伝って流れ落ちる様子を説明する図で、図２（ａ）から図２（ｃ）にしたがって時間的に経過している。
【図３】図３は本発明の防水構造を備えた裏カバー全体の正面図である。
【図４】図４は放音孔の変形例を説明する図で、（ａ）は放音孔の正面拡大図、（ｂ）は放音孔を備えた裏カバー全体の正面図である。
【図５】図５はスピーカーを備えた従来の裏カバー全体の正面図である。
【図６】図６は放音孔とスピーカーの位置関係を説明する図で、（ａ）は裏カバーにある放音孔の近傍の斜視図、（ｂ）は断面図である。
【図７】図７は雨水が従来の裏カバーを伝って流れ落ちる様子を説明する図で、図７（ａ）から図７（ｃ）にしたがって時間的に経過している。
【発明を実施するための形態】
【００２２】
以下、雨水がカバーの上方に降りそそいでも放音孔の周囲を迂回して流れ落ちるようになり、決して放音孔からカバーの裏側に入らないようになる本発明の防水構造について、図面に基づいて詳しく説明する。
【００２３】
〈本発明に係る防水構造〉
図１は本発明に係る防水構造を説明する図で、（ａ）は裏カバーにある放音孔の近傍の斜視図と、（ｂ）は断面図である。
図１（ａ）において、放音孔１０ｈが裏カバー１０に貫通孔としてあけられており、放音孔１０ｈのある裏カバー１０は、図１（ｂ）に示すように、表カバー２０に対して所定の間隔を保ってこれと平行に傾斜して配置され、この表カバー２０の裏側にスピーカーＳが取り付けられている。放音孔１０ｈはこの裏カバー１０のスピーカーＳに対向する部位に開けられている。
《第１の防水構造》
裏カバー１０の表側の放音孔１０ｈの周囲にこれと同心にカバーの他の部位よりも一段低くなる凹部１０ｂが形成され、かつその凹部１０ｂは同心円の直径の幅で放音孔１０ｈの周囲から下方に向けて延びている。
《第２の防水構造》
放音孔１０ｈから放音孔１０ｈの内径を保ったまま外側（反スピーカー側）に向けて垂直に円筒壁１０ｔを立設している。円筒壁１０ｔの高さは凹部１０ｂの壁面１０ａの高さよりもさらに高く突出するようにしている。
《第３の防水構造》
凹部１０ｂの放音孔１０ｈの付け根にさらに凹部１０ｂの部位よりも一段低くなる水路１０ｃが形成され、かつその水路１０ｃは放音孔１０ｈの付け根を周回すると共に、放音孔１０ｈの直径にあたる両端から２本の水路１０ｃが放音孔１０ｈの直径幅を保ちつつそれぞれ下方に向けて延びている。
【００２４】
〈本発明に係る上記防水構造の効果〉
図２は雨水が裏カバーを伝って流下する様子を説明する図で、図２（ａ）から図２（ｃ）にしたがって時間的に経過している。図２（ａ）のように裏カバー１０の上部から雨水Ｗが流れ落ちると、図２（ｂ）のように放音孔１０ｈの凹部１０ｂに達し、さらに図２（ｃ）のように円筒壁１０ｔを迂回して水路１０ｃを伝って下方に流れ落ちる。このように雨水Ｗは放音孔１０ｈを囲む円筒壁１０ｔを迂回して下方に流れるので、雨水Ｗは放音孔１０ｈの内部に入り込むことはなくなる。
また、雨水Ｗの一部が、仮に円筒壁１０ｔの根元にある水路１０ｃを流れずに逆方向の円筒壁１０ｔの先端方向に向かったとしても円筒壁１０ｔの放音孔１０ｈの内部通路は図のように入口から奥に向かって上方に傾斜しているので、雨水Ｗが円筒壁１０ｔの放音孔１０ｈの内部を逆流してカバー１０の裏側に達することはない。
したがって、雨水が放音孔からカバーの裏側に入ることはなくなり、従ってまた、スピーカーを濡らして損傷させる恐れもなくなる。
【００２５】
〈本発明の裏カバー全体の形状〉
図３は本発明の防水構造を備えた裏カバー全体の正面図である。
図３において、１０は本発明の裏カバーで、この裏カバー１０の中央よりやや左下に放音孔１０ｈが貫通孔として開けられている。放音孔１０ｈの周囲に同心に凹部１０ｂが形成されかつ音孔１０ｈから外側（図で垂直方向手前側）に向けて円筒壁１０ｔが立設している。また、放音孔１０ｈの付け根にさらに凹部１０ｂの部位よりも一段低くなる水路１０ｃが形成され放音孔１０ｈの直径にあたる両端から２本の水路１０ｃが放音孔１０ｈの直径幅を保ちつつそれぞれ下方に向けて延びている。
裏カバー１０の上部から雨水Ｗが流れ落ちると、放音孔１０ｈの凹部１０ｂに達し、水路１０ｃを伝って下方に流れ落ちる。このように雨水Ｗは放音孔１０ｈを囲む円筒壁１０ｔを周回して下方に流れるので、雨水Ｗは放音孔１０ｈの内部に入り込むことはなくなる。
【００２６】
〈放音孔の変形例とその効果〉
図４は放音孔の変形例を説明する図で、（ａ）は放音孔の正面拡大図、（ｂ）は放音孔を備えた裏カバー全体の正面図である。
図１の放音孔１０ｈは裏カバー１０を貫通する大きな直径から成る１個の貫通孔であってが、図４における放音孔は円筒壁４０ｔの内側に小さな直径の貫通孔４０ｈを多数個形成されているのが特徴である。
その他の構成は同じで、図４の放音孔４０ｈの防水構造も図１の防水構造と同じである。すなわち、裏カバー４０の表側の放音孔４０ｈの周囲に、これより一段低くなる凹部４０ｂが形成され、かつその凹部４０ｂは下方に向けて延び、円筒壁４０ｔが立設している。
円筒壁４０ｔの高さは凹部４０ｂの壁面４０ａの高さよりもさらに高く突出しているので、裏カバー４０の上部から雨水Ｗが流れ落ちて円筒壁４０ｔの入口先端に達しても、円筒壁４０ｔの長い内側通路を逆流して裏側まで達することはあり得ない。
また、放音孔４０の凹部４０ｂに達した雨水Ｗは水路４０ｃを伝って下方に流れ落ち、放音孔４０を囲む円筒壁４０ｔを迂回するので、放音孔４０の中に入り込むことはない。
また、小さな直径の貫通孔４０ｈを多数個備えて形成することにより、図１の放音孔１０ｈと比べて異物が貫通孔４０ｈ内に入り難くなり、スピーカーＳ等の損傷の恐れがさらに軽減する。
【００２７】
〈その他の用途〉
以上の説明では、スピーカーと放音孔の実施例で説明したが、本発明はこの実施例に限定されるものではなく、雨濡れを好まない他の電気機器・精密機器にも応用することができる。例えば、雨濡れを好まない他の電気機器・精密機器とその近傍に設けられた放熱孔・空気孔・冷却通路孔・器具操作孔・のぞき孔等の関係の場合にも本発明に係る防水構造が有効に適用できる。
【符号の説明】
【００２８】
１０  裏カバー
１０ａ  壁面
１０ｂ、４０ｂ  凹部
１０ｃ、４０ｃ  水路
１０ｈ、４０ｈ  放音孔
１０ｔ、４０ｔ  円筒壁
２０  表カバー
Ｓ  スピーカー
Ｗ  雨水
【図１】
2010268119.tif 000003
【図２】
2010268119.tif 000004
【図３】
2010268119.tif 000005
【図４】
2010268119.tif 000006
【図５】
2010268119.tif 000007
【図６】
2010268119.tif 000008
【図７】
2010268119.tif 000009